(57)【要約】【課題】折畳み式梱包箱において、簡単な構成で、運搬中に梱包物が動いても左右側板が変形しないようにする。【解決手段】折畳み式梱包箱１に、矩形状の底板２と、底板２に連続する左右一対の左右側板３，４と、底板２に連続する前後一対の前後側板１１，１２と、左側板３に連続し、前側板１２の裏側に折り曲げられる左前側フラップ７と、右側板４に連続し、前側板１２の裏側に折り曲げられる右前側フラップ８と、前側板１２に連続し、左前側フラップ７及び右前側フラップ８の上側に折り曲げられる前側天板１３と、後側板１１に連続し、前側天板１３を上方から覆う後側天板１５とを設ける。そして、左前側フラップ７及び右前側フラップ８には、前側板１２の裏側に折り曲げられたときに、左右側板３，４の上端よりも上方へ膨出し、前側天板１３裏面に当接する変形防止用膨出部３０を形成する。【選択図】図３
2010247880.tif 000002
【特許請求の範囲】
【請求項１】
矩形状の底板と、
上記底板に連続する左右一対の左右側板と、
上記底板に連続する前後一対の前後側板と、
上記左側板に連続し、上記前側板の裏側に折り曲げられる左前側フラップと、
上記右側板に連続し、上記前側板の裏側に折り曲げられる右前側フラップと、
上記前側板に連続し、上記左前側フラップ及び上記右前側フラップの上側に折り曲げられる前側天板と、
上記後側板に連続し、上記前側天板を上方から覆う後側天板と、
を備えた折畳み式梱包箱であって、
上記左前側フラップ及び右前側フラップには、上記前側板の裏側に折り曲げられたときに、上記左右側板の上端よりも上方へ膨出し、上記前側天板裏面に当接する変形防止用膨出部が形成されている
ことを特徴とする折畳み式梱包箱。
【請求項２】
請求項１に記載の折畳み式梱包箱において、
上記左右側板の上端に連続し、上記前側天板の下方に折り曲げられる左右上側フラップを備え、
上記変形防止用膨出部は、折り曲げられた上記左右上側フラップを避ける範囲に設けられている
ことを特徴とする折畳み式梱包箱。
【請求項３】
請求項１又は２に記載の折畳み式梱包箱において、
上記変形防止用膨出部における上記前側天板裏面との当接面は、鋸の波状に切断されている
ことを特徴とする折畳み式梱包箱。
【請求項４】
請求項１又は２に記載の折畳み式梱包箱において、
上記変形防止用膨出部における左右側板の上端よりも膨出した部分は、折り曲げ可能に構成され、該折り曲げられた部分が上記前側天板裏面に当接するように構成されている
ことを特徴とする折畳み式梱包箱。
【請求項５】
請求項１又は２に記載の折畳み式梱包箱において、
上記前側天板には、上記変形防止用膨出部が挿入される膨出部挿入用開口が形成されている
ことを特徴とする折畳み式梱包箱。
【請求項６】
請求項１又は２に記載の折畳み式梱包箱において、
上記前側天板裏面には、上記変形防止用膨出部が挿入される膨出部挿入用凹部が形成されている
ことを特徴とする折畳み式梱包箱。
【発明の詳細な説明】
【技術分野】
【０００１】
本発明は、電子機器などの製品を梱包する折畳み式梱包箱に関するものである。
【背景技術】
【０００２】
従来より、図１０に示すように、矩形状の底板と、底板に連続する左右一対の左右側板１０３，１０４と、底板に連続する前後一対の前後側板１１１，１１２と、左側板１０３に連続し、前側板の裏側に折り曲げられる左前側フラップ１０７と、右側板１０４に連続し、前側板１１２の裏側に折り曲げられる右前側フラップ１０８と、前側板１１２に連続し、左前側フラップ１０７及び右前側フラップ１０８の上側に折り曲げられる前側天板と、後側板１１１に連続し、前側天板を上方から覆う後側天板１１５とを備えた折畳み式梱包箱１０１は知られている。
【０００３】
この種の折畳み式梱包箱（例えば、特許文献１参照）は、接着剤等を極力使わずに天板、左右側板、前後側板及び天板を簡単に折り曲げて組み立てることができると共に、各板をフラットに構成することができる。
【先行技術文献】
【特許文献】
【０００４】
【特許文献１】特開２００３−２２６３２５号公報
【発明の概要】
【発明が解決しようとする課題】
【０００５】
しかしながら、従来の折畳み式梱包箱では、組立性を重視するために各板同士の接合があまり行われないため、運搬中に梱包物が内部で動くと、図１０に白抜き矢印で示すように、左右側板１０３、１０４が膨らんで変形する場合があるという問題があった。
【０００６】
本発明は、かかる点に鑑みてなされたものであり、その目的とするところは、簡単な構成で、運搬中に梱包物が動いても左右側板が変形しないようにすることにある。
【課題を解決するための手段】
【０００７】
上記の目的を達成するために、この発明では、左右側板と、前側板に連続する天板とをずれにくくした。
【０００８】
具体的には、第１の発明では、
矩形状の底板と、
上記底板に連続する左右一対の左右側板と、
上記底板に連続する前後一対の前後側板と、
上記左側板に連続し、上記前側板の裏側に折り曲げられる左前側フラップと、
上記右側板に連続し、上記前側板の裏側に折り曲げられる右前側フラップと、
上記前側板に連続し、上記左前側フラップ及び上記右前側フラップの上側に折り曲げられる前側天板と、
上記後側板に連続し、上記前側天板を上方から覆う後側天板と、
を備えた折畳み式梱包箱を前提とする。
【０００９】
そして、上記左前側フラップ及び右前側フラップには、上記前側板の裏側に折り曲げられたときに、上記左右側板の上端よりも上方へ膨出し、上記前側天板裏面に当接する変形防止用膨出部が形成されている。
【００１０】
上記の構成によると、左前側フラップ及び右前側フラップに形成した変形防止用膨出部が、左前側フラップ及び右前側フラップを前側板の裏側に折り曲げたときに、左右側板の上端よりも上方へ膨出して前側天板裏面に当接するので、この前側天板を上方から後側天板で押さえ込んだ運搬状態では、変形防止用膨出部が前側天板裏面と密着する。このため、変形防止用膨出部と前側天板裏面との間の摩擦力により、運搬中に内側から移動しようとする梱包物により衝撃を受けても左右側板が変形することはない。
【００１１】
第２の発明では、第１の発明において、
上記左右側板の上端に連続し、上記前側天板の下方に折り曲げられる左右上側フラップを備え、
上記変形防止用膨出部は、折り曲げられた上記左右上側フラップを避ける範囲に設けられている。
【００１２】
上記の構成によると、変形防止用膨出部と左右上側フラップとが重なり合うことはないので、天板の一部のみが盛り上がって天板の見映えが悪くなることが避けられる。
【００１３】
第３の発明では、第１又は第２の発明において、
上記変形防止用膨出部における上記前側天板裏面との当接面は、鋸の波状に切断されている。
【００１４】
上記の構成によると、変形防止用膨出部が前側天板裏面に当接したときに、鋸の波状の部分が引っ掛かることにより、摩擦抵抗が増大し、さらに左右側板の変形を防止する効果が高まる。
【００１５】
第４の発明では、第１又は第２の発明において、
上記変形防止用膨出部における左右側板の上端よりも膨出した部分は、折り曲げ可能に構成され、該折り曲げられた部分が上記前側天板裏面に当接するように構成されている。
【００１６】
上記の構成によると、変形防止用膨出部が折り曲げられ、その折り曲げられた部分が前側天板裏面に当接するので、接触面積が増えて摩擦抵抗が増大し、さらに左右側板の変形を防止する効果が高まる。
【００１７】
第５の発明では、第１又は第２の発明において、
上記前側天板には、上記変形防止用膨出部が挿入される膨出部挿入用開口が形成されている。
【００１８】
上記の構成によると、変形防止用膨出部が前側天板の膨出部挿入用開口に嵌り込むことにより、変形防止用膨出部が膨出部挿入用開口に引っ掛かるので、さらに左右側板の変形を防止する効果が高まる。
【００１９】
第６の発明では、第１又は第２の発明において、
上記前側天板裏面には、上記変形防止用膨出部が挿入される膨出部挿入用凹部が形成されている。
【００２０】
上記の構成によると、変形防止用膨出部が前側天板裏面の膨出部挿入用凹部に嵌り込むことにより、変形防止用膨出部が膨出部挿入用凹部に引っ掛かるので、さらに左右側板の変形を防止する効果が高まる。
【発明の効果】
【００２１】
以上説明したように、本発明によれば、折畳み式梱包箱において、左前側フラップ及び右前側フラップに変形防止用膨出部を形成し、左前側フラップ及び右前側フラップを前側板の裏側に折り曲げたときに、変形防止用膨出部を左右側板の上端よりも上方へ膨出させて前側天板裏面に当接させるようにしたことにより、簡単な構成で、運搬中に梱包物が動いても左右側板が変形しないようにすることができる。
【図面の簡単な説明】
【００２２】
【図１】本発明の実施形態にかかる折畳み式梱包箱の展開図である。
【図２】折畳み式梱包箱を組み立てる途中を示す斜視図である。
【図３】折畳み式梱包箱を組み立てる途中を示す斜視図である。
【図４】折畳み式梱包箱の完成状態を示す斜視図である。
【図５】図３のＶ部拡大斜視図である。
【図６】折畳み式梱包箱に製品を梱包する様子を示す斜視図である。
【図７】本発明の実施形態の変形例１にかかる図５相当図である。
【図８】本発明の実施形態の変形例２にかかる図５相当図である。
【図９】本発明の実施形態の変形例３にかかる図１相当図である。
【図１０】従来の折畳み式梱包箱の左右側板が膨らんだ様子を示す斜視図である。
【発明を実施するための形態】
【００２３】
以下、本発明の実施形態を図面に基づいて説明する。
【００２４】
図１に本発明の実施形態の折畳み式梱包箱１を組み立てる前の展開図を示すように、この折畳み式梱包箱１は、例えば、一枚の紙製の段ボール板１ａから組み立てられる。折畳み式梱包箱１は、矩形状（正方形又は長方形）の平坦な底板２を備えている。この底板２の左右には、それぞれ矩形状の左右一対の左右側板３，４が連続して形成されている。図２に示すように、これら左右側板３，４は、折り曲げられて起立されるようになっている。左右側板３，４の後側には、互いに引っ掛け合う左右連結部５，６が連設されている。左右連結部５，６には、それぞれ鉤部５ａ，６ａが形成され、これら鉤部５ａ，６ａが前後に重なり合うことで、左右側板３，４の後側が広がらないようになっている。
【００２５】
そして、左側板３には、右側に折り曲げられる左前側フラップ７が連続し、右側板４には、左側に折り曲げられる右前側フラップ８が連続している。また、左右側板３，４には、それぞれ上端に左右上側フラップ９，１０が連設されている。
【００２６】
図３に示すように、後方の左右連結部５，６を連結した状態で、これら左右連結部５，６を覆う後側板１１を起立させるようになっている。また、左右前側フラップ７，８及び左右上側フラップ９，１０を折り曲げた状態で、前側板１２を起立させてその裏面側を左右前側フラップ７，８に当接させ、前側板１２に連設された前側天板１３を左前側フラップ７及び上記右前側フラップ８並びに左右上側フラップ９，１０の上側から被せ、前側天板１３の先端の第１先端フラップ１４で左右連結部５，６を後方から覆うようになっている。なお、前側天板１３には、製品取出用開口１３ａが形成されている。
【００２７】
前側天板１３を折り畳んだ状態で、後側板１１の上端に連続する後側天板１５で前側天板１３を上方から覆い、後側天板１５の先端の第２先端フラップ１６を、前側板１２と前側天板１３との間の内側開口１７に差し込み、前側板１２と前側天板１３との間から立ち上げた挿入舌片１８を第２先端フラップ１６と後側天板１５との間の外側開口１９に差し込むことで、図４に示すように、直方体状に組み立てられるようになっている。
【００２８】
そして、本発明の特徴として、図５に一部拡大して示すように、左前側フラップ７及び右前側フラップ８には、前側板１２の裏側に折り曲げられたときに、左右側板３，４の上端よりも上方へ膨出し、前側天板１３裏面に当接する変形防止用膨出部３０が形成されている。さらに、変形防止用膨出部３０は、折り曲げられたときに、左右上側フラップ９，１０を避ける範囲に設けられている。つまり、変形防止用膨出部３０は、折り曲げられたときに左右上側フラップ９，１０と接触しない範囲で、左右側板３，４の高さよりも上方に飛び出すように膨出している。この膨出量は、後側天板１５が膨らんでしまわない程度とする。なお、本実施形態では、変形防止用膨出部３０の上端は平坦となっている。
【００２９】
次に、本実施形態にかかる折畳み式梱包箱１の梱包例について説明すると、例えば、図６に示すように、左右側板３，４、左右連結部５，６及び後側板１１を立ち上げた状態で、下から順に下側トレイ２０、中間板２１及び上側トレイ２２を挿入する。
【００３０】
このとき、例えば、下側トレイ２０に変換アダプタ２３を、上側トレイ２２に携帯電話機本体２４、電池パック２５、その他付属品２６等を梱包する。
【００３１】
次いで、その他の部分を折り曲げて組み立てる。この折畳み式梱包箱１を組み立てる際には、接着剤を使用する必要はないので、組立が極めて容易となっている。
【００３２】
そして、図４に示す組み立て完了状態では、変形防止用膨出部３０と左右上側フラップ９，１０とが重なり合うことはないので、前側及び後側天板１３，１５の一部のみが盛り上がって天板の見映えが悪くなることはない。
【００３３】
そして、運搬時には、特に質量の大きい携帯電話機本体２４や電池パック２５は、運搬時に衝撃を受けると、運動エネルギーは大きくなる。
【００３４】
しかし、本実施形態では、左前側フラップ７及び右前側フラップ８に形成した変形防止用膨出部３０が、左前側フラップ７及び右前側フラップ８を前側板１２の裏側に折り曲げたときに、左右側板３，４の上端よりも上方へ膨出して前側天板１３裏面に当接するので、この前側天板１３を上方から後側天板１５で押さえ込んだ運搬状態では、変形防止用膨出部３０が前側天板１３裏面と密着する。
【００３５】
このため、変形防止用膨出部３０と前側天板１３裏面との間の摩擦力により、運搬中に衝撃を受けても梱包物により左右側板３，４が変形することはない。
【００３６】
したがって、本実施形態にかかる折畳み式梱包箱１によると、簡単な構成で、運搬中に梱包物が動いても左右側板３，４が変形しないようにすることができる。
【００３７】
−実施形態の変形例１−
上記実施形態では、変形防止用膨出部３０の上端は平坦としたが、図７に示すように、本変形例では、段ボール板１ａから折畳み式梱包箱１の形に切り出すときに、変形防止用膨出部１３０における前側天板１３裏面との当接面を鋸の波状に切断してもよい。このことで、変形防止用膨出部１３０が前側天１３板裏面に当接したときに、鋸の波状の部分が引っ掛かるので、さらに左右側板３，４の変形を防止する効果を高めることができる。
【００３８】
−実施形態の変形例２−
また、図８に示すように、変形防止用膨出部２３０における左右側板３，４の上端よりも膨出した部分を折り曲げ可能に構成してもよい。この折り曲げられた部分が前側天板１３裏面に当接するように構成すればよい。
【００３９】
変形防止用膨出部２３０が折り曲げられた状態で前側天板１３裏面に当接するので、接触面積が増えて摩擦抵抗が増大し、さらに左右側板３，４の変形を防止する効果が高まる。
【００４０】
−実施形態の変形例３−
また、図９に示すように、前側天板１３に変形防止用膨出部３０が挿入される膨出部挿入用開口３３０を形成してもよい。
【００４１】
このことで、変形防止用膨出部３０が前側天板の膨出部挿入用開口３３０に嵌り込むことにより、変形防止用膨出部３０が膨出部挿入用開口３３０に引っ掛かるので、さらに左右側板３，４の変形を防止する効果が高まる。
【００４２】
なお、図示しないが、膨出部挿入用開口３３０のように貫通させなくても、変形防止用膨出部３０が挿入される膨出部挿入用凹部を形成してもよい。この場合も、変形防止用膨出部３０が、この膨出部挿入用凹部に嵌り込むので、同様に左右側板３，４の変形を防止する効果を高めることができる。
【００４３】
（その他の実施形態）
本発明は、上記実施形態について、以下のような構成としてもよい。
【００４４】
すなわち、上記実施形態では、携帯電話機本体２４を梱包する折畳み式梱包箱１を例示したが、梱包物は特に限定されず、特に質量が大きい製品であればさらに左右側板３，４の変形防止効果が発揮される。
【００４５】
なお、以上の実施形態は、本質的に好ましい例示であって、本発明、その適用物や用途の範囲を制限することを意図するものではない。
【符号の説明】
【００４６】
１      折畳み式梱包箱
２      底板
３      左側板
４      右側板
７      左前側フラップ
８      右前側フラップ
９，１０      左右上側フラップ
１１      後側板
１２      前側板
１３      前側天板
１５      後側天板
３０      変形防止用膨出部
１３０      変形防止用膨出部
２３０      変形防止用膨出部
３３０      膨出部挿入用開口
【図１】
2010247880.tif 000003
【図２】
2010247880.tif 000004
【図３】
2010247880.tif 000005
【図４】
2010247880.tif 000006
【図５】
2010247880.tif 000007
【図６】
2010247880.tif 000008
【図７】
2010247880.tif 000009
【図８】
2010247880.tif 000010
【図９】
2010247880.tif 000011
【図１０】
2010247880.tif 000012